(57)【要約】      （修正有）【課題】薬剤漏れを確実に防止できるとともに、ファンケース部側に対する薬剤タンクの取り付け及び取り外しが容易な動力散布機の薬剤タンク固定装置を提供する。【解決手段】薬剤タンク２に設けられた係止ピン３と、係止ピン３と対向するファンケース部１側に中間部が枢支され上端に係止ピン３への係合部７が形成されたフック部材５と、フック部材５の下部に中間部が枢支され揺動操作により先端部１２がファンケース部１に圧接静止させられてファンケース部１とフック部材５の下部との間隔を広げてフック部材５の上端に形成された係合部７を係止ピン３に係合させるロックレバー８と、からなり、ロックレバー８に雄ねじ９が形成され、フック部材５の下部に揺動自在に支持したナット１０に螺合され、また、ロックレバー８の先端部１２が圧接するファンケース部１に、ロックレバー８の先端部１２を案内しファンケース部１を保護するプレート１４が設けられてなる。【選択図】  図１
2006340660.tif 000002
【特許請求の範囲】
【請求項１】
薬剤タンク（２）に設けられた係止ピン（３）と、該係止ピン（３）と対向するファンケース部（１）側に中間部が枢支され上端に前記係止ピン（３）への係合部（７）が形成されたフック部材（５）と、該フック部材（５）の下部に中間部が枢支され揺動操作により先端部（１２）が前記ファンケース部（１）に圧接静止させられて該ファンケース部（１）と前記フック部材（５）の下部との間隔を広げて該フック部材（５）の上端に形成された前記係合部（７）を前記薬剤タンク（２）に設けられた前記係止ピン（３）に係合させるロックレバー（８）と、からなることを特徴とする動力散布機の薬剤タンク固定装置。
【請求項２】
前記ロックレバー（８）に雄ねじ（９）が形成され、前記フック部材（５）の下部に揺動自在に支持されたナット（１０）に螺合させられてなることを特徴とする請求項１に記載の動力散布機の薬剤タンク固定装置。
【請求項３】
前記ロックレバー（８）の前記先端部（１２）が圧接する前記ファンケース部（１）に、前記ロックレバー（８）の前記先端部（１２）を案内し前記ファンケース部（１）を保護するプレート（１４）を設けたことを特徴とする請求項１または２に記載の動力散布機の薬剤タンク固定装置。
【請求項４】
前記プレート（１４）の下部に前記ロックレバー（８）の先端中心突部（１２ａ）が適合する透孔（１６）を設けたことを特徴とする請求項３に記載の動力散布機の薬剤タンク固定装置。
【発明の詳細な説明】
【技術分野】
【０００１】
本発明は、動力散布機の薬剤タンク固定装置に関し、詳しくは、前記動力散布機のファンケース部に対する薬剤タンク固定装置に関する。
【背景技術】
【０００２】
従来、薬剤タンク側に係止ピンを設け、ファンケース側のフック部材を、該フック部材に設けたレバーで引き下げて前記薬剤タンクをファンケース側に締め付け固定する装置が提案されている。しかしながら、前記レバーでのフック部材の引き下げは、最大締め付け状態よりやや締め付けが弱いところで締め付けざるを得ないという問題を有する。その結果、散布作業中の内燃機関の振動等により、時折、ファンケース側との接触部から薬剤漏れが生じる場合があった。
【０００３】
その他、散布作業中に、不測のうちに薬剤タンク（貯留槽）とファンケースとが分離してしまうことを防止する、背負式動力散布機の貯留槽取付装置（特許文献１）が提案されている。
【特許文献１】実公平４−９１９号公報
【発明の開示】
【発明が解決しようとする課題】
【０００４】
本発明は、散布作業中の内燃機関の振動等による薬剤漏れを確実に防止するとともに、ファンケース部に対する薬剤タンクの取り付けおよび取り外しの容易な、動力散布機の薬剤タンク固定装置を提供することを目的とする。
【課題を解決するための手段】
【０００５】
前記目的達成のために、本発明の動力散布機の薬剤タンク固定装置は、薬剤タンクに設けられた係止ピンと、該係止ピンと対向するファンケース部側に中間部が枢支され上端に前記係止ピンへの係合部が形成されたフック部材と、該フック部材の下部に中間部が枢支され揺動操作により先端部が前記ファンケース部に圧接静止させられて該ファンケース部と前記フック部材の下部との間隔を広げて前記フック部材の上端に形成された前記係合部を前記薬剤タンクに設けられた前記係止ピンに係合させるロックレバーと、からなることを特徴とする（請求項１）。
【０００６】
前記構成によれば、例えば、当初、ロックレバーの先端部を上向きにして前記ファンケース部に軽く当接させている状態から、前記ロックレバーの後端部を手に持って上方へ揺動させ、前記ロックレバーの先端部を下方に向けて前記ファンケース部に圧接させると、該ファンケース部と前記フック部材の下部との間隔が広げられる。
【０００７】
その結果、前記フック部材の上端に形成された係合部が、前記薬剤タンク側に設けられた係止ピン側に回動させられ、前記フック部材の上端に形成された前記係合部が、前記係止ピンへ係合を開始する。
【０００８】
その後、さらに前記ロックレバーの後端部を所定位置まで上方へ揺動させると、前記フック部材の上端に形成された前記係合部が、前記係止ピンに徐々に係合するとともに、該係止ピンを下方に押し下げて前記薬剤タンクを前記ファンケース部に強固に押し付け、最終的に、前記ロックレバーの先端部が斜め下向き状態になり、該ロックレバー及び前記フック部材の不測の復帰（外れ）が阻止される。
【０００９】
すなわち、前記ロックレバーの先端部が、当初上向きの状態から、最終的に下向き、且つ、前記ファンケース部に圧接静止させられた状態になり、前記ロックレバーがクサビとして機能し、前記フック部材の不測の復帰（外れ）が阻止され、薬剤タンクが前記ファンケース部に対して強固に締め付け固定される。なお、前記薬剤タンクの取り外しは、前記ロックレバーの後端部を下方に押し下げるだけでよく、ワンタッチで可能である。
【００１０】
本発明の実施の一形態は、前記ロックレバーに雄ねじが形成され、前記フック部材の下部に揺動自在に支持されたナットに螺合させられてなることを特徴とする（請求項２）。
【００１１】
前記実施の一形態によれば、前記ファンケース部に対する薬剤タンクの締め付け固定強度の調整が可能である。すなわち、前記ロックレバーを回して該ロックレバーの先端部の前記フック部材からの突出寸法を変更して、前記ロックレバーの先端部の前記ファンケース部への圧接具合を調整することにより、前記ファンケース部に対する前記薬剤タンクの締め付け固定強度を調整することができる。さらに、前記ファンケース部に対して前記薬剤タンクを固定したままの状態での増し締め調整も可能である。
【００１２】
本発明の他の実施の一形態は、前記ロックレバーの前記先端部が圧接する前記ファンケース部に、前記ロックレバーの前記先端部を案内し前記ファンケース部を保護するプレートを設けたことを特徴とする（請求項３）。
【００１３】
前記実施の一形態によれば、前記ロックレバーの揺動操作をスムースに行うことができるとともに、前記ロックレバーの先端部が圧接するファンケース部を保護することができる。
【００１４】
本発明の他の実施の一形態は、前記プレートの下部に前記ロックレバーの先端中心突部が適合する透孔を設けたことを特徴とする（請求項４）。
【００１５】
前記実施の一形態によれば、前記ロックレバーの前記先端中心突部が、前記プレートに設けられた前記透孔に適合させられて完全にロックされる。したがって、誤って前記ロックレバーに何らかの力が加わった場合にも、該ロックレバーの復帰（外れ）が阻止される。したがって、散布作業中の内燃機関の振動等により、前記ロックレバーが不測に復帰させられることが完全に防止され、安全である。
【発明の効果】
【００１６】
本発明によれば、散布作業中の内燃機関の振動等による薬剤漏れを防止できるとともに、ファンケース部に対する薬剤タンクの取り付け及び取り外しが容易である。
【発明を実施するための最良の形態】
【００１７】
以下、添付図面を参照して、本発明を実施するための最良の形態を説明する。図１は、薬剤タンク取り付け状態を示す要部断面図、図２は、薬剤タンク取り付け操作開始時の状態を示す要部断面図、図３は、他の実施の一形態の取り付け状態を示す要部部断面図である。
【００１８】
図中、１は、ファンケース部、２は、ファンケース部１に対して着脱自在とされ、その底部に図示しない調量シャッターを備えた薬剤タンクである。該薬剤タンク２及び前記ファンケース部１間には図示しないが、適宜パッキングが介在させられて薬剤漏れを防止する様に配慮されている。
【００１９】
前記薬剤タンク２の両側に、機体の前後方向に伸びる係止ピン３が設けられる。該係止ピン３は、所定の長さを有し、前記薬剤タンク２の底部左右両側にそれぞれ間隔をあけて形成した支持部２ａに両端部が貫通支持されている。
【００２０】
一方、前記ファンケース部１には、前記係止ピン３と対向する位置に中間部が前記係止ピン３と平行な軸４により枢支されたフック部材５が設けられる。該フック部材５は、前後に所定間隔をあけて配置した二枚の背部が連結部材６で連結され、全体が略コ字状に形成され、前記ファンケース部１に形成した支持部１ａに挿通した前記軸４により、上下方向に枢動自在に支持されている。
【００２１】
さらに、前記フック部材５の上端に、前記係止ピン３への係合部７が形成される。図面実施の一形態では、前記フック部材５の上端を、前記係止ピン３側に向けて折り曲げた形で前記係合部７が形成されている。
【００２２】
さらに、前記フック部材５の下部に、揺動自在にロックレバー８が枢支される。図面実施の一形態では、前記ロックレバー８に雄ねじ９が形成され、該雄ねじ９部が、前記フック部材５の下部に上下揺動自在に支持したナット１０に螺合させられている。
【００２３】
なお、本発明では、必ずしも前記のごとく、前記ロックレバー８に前記雄ねじ９を形成し、さらに前記フック部材５の下部に前記ナット１０を揺動自在に支持することを要しない。すなわち、前記ロックレバー８を、前記フック部材５の下部に直接枢支して、上下方向に揺動自在に構成してもよい。
【００２４】
前記ナット１０は、その前後両端に設けた支持突軸１１によって、前記フック部材５の下部に上下揺動自在に支持されている。したがって、前記ナット１０に前記雄ねじ９を螺合させられた前記ロックレバー８は、前記フック部材５に対して上下揺動自在に支持されることになる。
【００２５】
さらに、前記ロックレバー８は、上下方向の揺動操作により、その先端部１２が、前記ファンケース部１に圧接静止させられるように構成される。なお、図１及び図２の実施の一形態では、操作を円滑にせしめるために、前記ロックレバー８の前記先端部１２にローラー１３が設けられているが、該ローラー１３に代えて、単なる丸みを形成してもよい。
【００２６】
また、図１及び図２の実施の一形態では、当初、前記ロックレバー８の前記先端部１２が斜め上向きに位置させられ、前記ファンケース部１に軽く当接させられている。具体的には、前記ファンケース部１に、前記ロックレバー８の前記先端部１２を案内するとともに前記ファンケース部１を保護するプレート１４が、前記フック部材５を支持する前記軸４により上端部を巻き掛けることにより取着され、前記ロックレバー８の前記先端部１２が、前記プレート１４に軽く当接させられている。なお、前記プレート１４は、ステンレス薄鋼板等の剛性金属材料とすることが好ましい。なお、図中１４ａは、前記プレート１４の下端に折り曲げ形成された前記ロックレバー８の先端部ストッパーである。
【００２７】
本発明では、前記ロックレバー８の引き上げ揺動操作により、前記先端部１２が前記ファンケース部１、具体的には、前記プレート１４に圧接静止させられ、同時に、前記ファンケース部１と前記フック部材５の下部との間隔が広げられ、該フック部材５の上端に形成された前記係合部７が内方へ回動させられて、前記薬剤タンク２に設けられた前記係止ピン３の上側に係合させられるように構成される。
【００２８】
すなわち、前記ロックレバー８の後端部に設けたハンドル１５を手に持って前記ロックレバー８の後端を上方へ揺動させると、前記ロックレバー８の前記先端部１２が下向きに前記ストッパー１４ａに阻止されるまで回動させられて、前記ファンケース部１、具体的には、前記プレート１４に圧接させられ、さらに、前記ロックレバー８の前記先端部１２が、前記プレート１４の下端に折り曲げ形成されたストッパー１４ａに係止及び静止させられてクサビとして機能し、前記ロックレバー８及び前記フック部材５の不測の復帰が阻止され、該フック部材５の上端に形成された前記係合部７が、前記薬剤タンク２に設けられた前記係止ピン３に係合させられ、前記薬剤タンク２が前記ファンケース部１側に強固に締め付け固定される。
【００２９】
なお、前記実施の一形態によれば、前記ファンケース部１に対する前記薬剤タンク２の締め付け強度の調整が可能である。すなわち、適宜、前記ロックレバー８を回して該ロックレバー８の前記先端部１２の前記フック部材５からの突出寸法を変更して、前記ロックレバー８の前記先端部１２の前記ファンケース部１への圧接具合を調整することにより、前記ファンケース部１に対する前記薬剤タンク２の締め付け固定強度を調整することができる。さらに、前記薬剤タンク２を前記ファンケース部１に固定したままの状態で増し締め調整も可能である。
【００３０】
また、図２に示すごとく、前記プレート１４は、左右でその折り曲げ形状を変えることにより、容易に取り付け部位の形状に対応せしめることができる。
【００３１】
図３には、他の実施の一形態が示されている。この実施の一形態では、前記プレート１４の下部に、前記ロックレバー８の前記雄ねじ９より小径に設けられた先端中心突部１２ａが適合する透孔１６が設けられている。なお、前記透孔１６は凹部であってもよい。図中、１７はロックナットである。
【００３２】
前記実施の一形態によっても、前記ファンケース部１に対する前記薬剤タンク２の締め付け固定強度の調整が可能である。すなわち、適宜、前記ロックナット１７を緩め、前記ロックレバー８のノブ１８を回して、前記先端中心突部１２ａの前記フック部材５からの突出寸法を変更して、前記ロックレバー８の前記先端部１２の前記ファンケース部１への圧接具合を調整することにより、前記ファンケース部１に対する前記薬剤タンク２の締め付け固定強度を調整することができる。さらに、前記ファンケース部１に対して前記薬剤タンク２を固定したままの状態での増し締め調整も可能である。
【００３３】
さらに、前記プレート１４の下部に設けられた前記透孔１６に、前記ロックレバー８の前記先端中心突部１２ａを適合させると、前記ロックレバー８が、前記ファンケース部１、具体的には、前記プレート１４に完全にロックされ、前記ロックレバー８に何らかの力が加わった場合にも、該ロックレバー８の不測の復帰が確実に阻止され、さらに、散布作業中に内燃機関の振動等が加わった場合にも、前記ロックレバー８が不測に復帰させられることがなく、安全である。
【００３４】
また、本発明によれば、ファンケース部から取り外された薬剤タンク側にはフック部材やロックレバー等の余計な部材は残っていないので、洗浄作業時等の取り扱いも容易となる。
【図面の簡単な説明】
【００３５】
【図１】本発明の一実施の形態に係る動力散布機の薬剤タンク固定装置による薬剤タンク取り付け状態を示す要部断面図である。
【図２】薬剤タンク取り付け開始時の状態を示す要部断面図である。
【図３】他の実施の一形態を示す取り付け状態の要部断面図である。
【符号の説明】
【００３６】
１    ファンケース部
２    薬剤タンク
３    係止ピン
５    フック部材
７    係合部
８    ロックレバー
９    雄ねじ
１０  ナット
１２  （ロックレバーの）先端部
１２ａ  先端中心突部
１４  プレート
１６  透孔
【図１】
2006340660.tif 000003
【図２】
2006340660.tif 000004
【図３】
2006340660.tif 000005